(57)【特許請求の範囲】
【請求項１】
室内温度を検出する室内温度検出手段と、あらかじめ設定された温度を記憶する設定温度記憶手段と、前記室内温度検出手段により検出された室内温度が前記設定温度記憶手段に記憶された設定温度以上であることを検出し出力する温度比較手段と、前記温度比較手段から出力があるときにカウントする計時手段と、あらかじめ設定された時間を記憶する設定時間記憶手段と、前記計時手段の出力が前記設定時間記憶手段に記憶された設定時間に達したことを判定する時間判定手段と、前記時間判定手段の出力により前記室内温度検出手段が異常であるかを判定する異常判定手段と、
室内側ファンの回転速度を検出するファン速度検出手段と、あらかじめ設定されたファン速度を記憶する設定ファン速度記憶手段と、前記ファン速度検出手段により検出されたファン速度が前記設定ファン速度記憶手段に記憶された設定ファン速度以上であることを検出し出力するファン速度比較手段と、前記ファン速度比較手段から出力があるときにカウントする計時手段とを備え、
室内温度検出手段の出力が設定された設定温度以上、かつ室内側ファンの回転速度が設定されたファン回転速度以上の状態を設定された設定時間継続して運転した場合に前記室内温度検出手段が異常であると判定し、
運転停止手段で空気調和機の運転を停止するとともに、異常表示手段で前記室内温度検出手段の異常を表示することを特徴とする空気調和機。
【請求項２】
室内側熱交換器の配管温度を検出する配管温度検出手段と、あらかじめ設定された温度を記憶する設定温度記憶手段と、前記配管温度検出手段により検出された配管温度が前記設定温度記憶手段に記憶された設定温度以上であることを検出し出力する温度比較手段と、前記温度比較手段から出力があるときにカウントする計時手段とを備え、配管温度が設定された設定温度以上の状態を、設定された設定時間継続して運転した場合に室内温度検出手段が異常であると判定することを特徴とする請求項１に記載の空気調和機。
【請求項３】
室内温度検出手段が異常であるかを判定する異常判定手段の出力により空気調和機の運転モードを変更する運転モード変更手段を備え,前記室内温度検出手段が異常であると判定した場合、空気調和機の運転モードを例えば運転周波数を低周波数に固定する等変更することにより、応急的な運転を可能とすることを特徴とする請求項１または２に記載の空気調和機。
【発明の詳細な説明】
【０００１】
【発明の属する技術分野】
本発明は、空気調和機に関するものである。
【０００２】
【従来の技術】
近年、空気調和機はマイクロコンピュータの進歩に伴い、複雑な制御が可能となり、信頼性追求のためより高機能化されている。その一例として従来のこの種の空気調和機について説明する。従来の空気調和機では、室内温度検出手段の出力がｔ１以上である時、室内温度検出手段が断線等により異常であると判断している。
【０００３】
【発明が解決しようとする課題】
しかしながら従来の空気調和機では、過負荷空調で暖房運転時等、室内熱交換器温度が高温の時に、ユーザーが誤ってリモコン停止ボタンを押してしまい、空気調和機が停止した場合、室内熱交換器からの輻射熱で、室内温度検出手段の雰囲気温度が上昇する。その状態で、ユーザーが慌ててリモコン運転ボタンを押し、空気調和機を運転させ、室内熱交換器からの輻射熱により、室内温度検出手段の出力がｔ１以上となった場合、室内温度検出手段が正常であるにもかかわらず誤って断線等の異常であると判断してしまうという課題を有していた。
【０００４】
本発明は、このような従来の空気調和機の課題を考慮し、室内温度検出手段異常の誤動作を防止できる空気調和機を提供することを目的とするものである。
【０００５】
【課題を解決するための手段】
上記課題を解決するために本発明は、室内温度を検出する室内温度検出手段と、あらかじめ設定された温度を記憶する設定温度記憶手段と、前記室内温度検出手段により検出された室内温度が前記設定温度記憶手段に記憶された設定温度以上であることを検出し出力する温度比較手段と、前記温度比較手段から出力があるときにカウントする計時手段と、あらかじめ設定された時間を記憶する設定時間記憶手段と、前記計時手段の出力が前記設定時間記憶手段に記憶された設定時間に達したことを判定する時間判定手段と、前記時間判定手段の出力により前記室内温度検出手段が異常であるかを判定する異常判定手段と、室内側ファンの回転速度を検出するファン速度検出手段と、あらかじめ設定されたファン速度を記憶する設定ファン速度記憶手段と、前記ファン速度検出手段により検出されたファン速度が前記設定ファン速度記憶手段に記憶された設定ファン速度以上であることを検出し出力するファン速度比較手段と、前記ファン速度比較手段から出力があるときにカウントする計時手段とを備え、
室内温度検出手段の出力が設定された設定温度以上、かつ室内側ファンの回転速度が設定されたファン回転速度以上の状態を設定された設定時間継続して運転した場合に前記室内温度検出手段が異常であると判定し、運転停止手段で空気調和機の運転を停止するとともに、異常表示手段で前記室内温度検出手段の異常を表示するものである。
【０００８】
さらに本発明は、室内側熱交換器の配管温度を検出する配管温度検出手段と、あらかじめ設定された温度を記憶する設定温度記憶手段と、前記配管温度検出手段により検出された配管温度が前記設定温度記憶手段に記憶された設定温度以上であることを検出し出力する温度比較手段と、前記温度比較手段から出力があるときにカウントする計時手段とを備えたものである。
【００１０】
さらに本発明は、室内温度検出手段が異常であるかを判定する異常判定手段の出力により運転モードを変更する運転モード変更手段を備えたものである。
【００１２】
【発明の実施の形態】
本発明は、室内温度検出手段の出力及び室内側ファンの回転速度を検出し、室内温度検出手段の出力が設定された設定温度以上、かつ室内側ファンの回転速度が設定されたファン回転速度以上の状態を、設定された設定時間継続して運転した場合、室内温度検出手段
が異常であると判定し、空気調和機の運転を停止するとともに室内温度検出手段の異常を表示する。
【００１５】
さらに本発明は、室内側熱交換器の配管温度を検出し、配管温度が設定された設定温度以下の状態を、設定された設定時間継続して運転した場合、室内温度検出手段が異常であると判定する。
【００１７】
さらに本発明は、室内温度検出手段が異常であると判定した場合、空気調和機の運転モードを変更する。
【００１９】
【実施例】
以下本発明の一実施例における空気調和機について図面とともに説明する。
【００２０】
図１は本発明の一実施例における空気調和機の要部ブロック図であり、図２はその動作を説明するフローチャートである。図１において、１０１は室内温度を検出する室内温度検出手段、１０２は設定温度を記憶する設定温度記憶手段、１０３は室内温度検出手段１０１により検出された室内温度が設定温度記憶手段１０２に記憶された設定温度以上であることを検出し出力する温度比較手段、１０４は温度比較手段１０３から出力があるときにカウントする計時手段、１０５は設定時間を記憶する設定時間記憶手段、１０６は計時手段１０４の出力が設定時間記憶手段１０５に記憶された設定時間に達したことを判定する時間判定手段、１０７は時間判定手段１０６の出力により室内温度検出手段１０１が異常であるかを判定する異常判定手段である。
【００２１】
上記構成による動作を図２を用いて説明する。運転開始とともに、室内温度検出手段１０１により室内温度ｔが検出され（ステップ２０１）、設定温度記憶手段１０２にあらかじめ設定された設定温度ｔ１とを温度比較手段１０３で比較する（ステップ２０２）。そして、ｔ≧ｔ１であれば、計時手段１０４のカウントが進む（ステップ２０３）。次に計時時間Ｔが設定時間記憶手段１０５に記憶された設定時間Ｔ１に達したかどうか、時間判定手段１０６で判定する（ステップ２０４）。そして、Ｔ≧Ｔ１になれば、異常判定手段１０７で室内温度検出手段１０１が異常であると判定する（ステップ２０５）。
【００２２】
したがって、室内温度検出手段１０１の出力を検出し、室内温度検出手段１０１の出力が設定された設定温度ｔ１以上の状態を、設定された設定時間Ｔ１の間、継続して運転した場合、室内温度検出手段１０１が異常であると判定することにより、暖房過負荷再立ち上げ時等においても、室内側熱交換器温度がＴ１の間に低下するため、輻射熱による室内温度検出手段１０１の異常判定の誤動作を防止することができる。
【００２３】
図３は本発明の他の実施例における空気調和機の要部ブロック図であり、図４はその動作を説明するフローチャートである。図３において、１０１は室内温度を検出する室内温度検出手段、１０２は設定温度を記憶する設定温度記憶手段、１０３は室内温度検出手段１０１により検出された室内温度が設定温度記憶手段１０２に記憶された設定温度以上であることを検出し出力する温度比較手段、１０８は室内側ファンが回転しているかどうか判定するファン回転判定手段、１０４は温度比較手段１０３及びファン回転判定手段１０８から出力があるときにカウントする計時手段、１０５は設定時間を記憶する設定時間記憶手段、１０６は計時手段１０４の出力が設定時間記憶手段１０５に記憶された設定時間に達したことを判定する時間判定手段、１０７は時間判定手段１０６の出力により室内温度検出手段１０１が異常であるかを判定する異常判定手段である。
【００２４】
上記構成による動作を図４を用いて説明する。運転開始とともに、室内温度検出手段１０１により室内温度ｔが検出され（ステップ２０１）、設定温度記憶手段１０２にあらかじめ設定された設定温度ｔ１とを温度比較手段１０３で比較する（ステップ２０２）。そして、ｔ≧ｔ１であれば、ファン回転判定手段１０８で室内側ファンが回転しているか判定する（ステップ２０６）。そして、室内側ファンが回転していれば、計時手段１０４のカウントが進む（ステップ２０３）。次に計時時間Ｔが設定時間記憶手段１０５に記憶された設定時間Ｔ１に達したかどうか、時間判定手段１０６で判定する（ステップ２０４）。そして、Ｔ≧Ｔ１になれば、異常判定手段１０７で室内温度検出手段１０１が異常であると判定する（ステップ２０５）。
【００２５】
したがって、室内温度検出手段１０１の出力及び室内側ファンの回転状態を検出し、室内温度検出手段１０１の出力が設定された設定温度ｔ１以上、かつ室内側ファンが回転の状態を、認定された設定時間Ｔ１の間、継続して運転した場合、室内温度検出手段１０１が異常であると判定することにより、暖房過負荷再立ち上げ時等においても、室内側熱交換器温度がＴ１の間に低下するため、輻射熱による室内温度検出手段１０１の異常判定の誤動作を防止することができる。しかも、室内側ファンが回転状態の時に動作するため、室内側熱交換器からの輻射による影響が少なくなり、より確実に制御を行うことができる。
【００２６】
図５は本発明の他の実施例における空気調和機の要部ブロック図であり、図６はその動作を説明するフローチャートである。図５において、１０１は室内温度を検出する室内温度検出手段、１０２は設定温度を記憶する設定温度記憶手段、１０３は室内温度検出手段１０１により検出された室内温度が設定温度記憶手段１０２に記憶された設定温度以上であることを検出し出力する温度比較手段、１０９は室内側ファンの回転速度を検出するファン速度検出手段、１１０は設定ファン速度を記憶する設定ファン速度記憶手段、１１１はファン速度検出手段１０９により検出されたファン速度が設定ファン速度記憶手段１１０に記憶された設定ファン速度以上であることを検出し出力するファン速度比較手段、１０４は温度比較手段１０３及びファン速度比較手段１１１から出力があるときにカウントする計時手段、１０５は設定時間を記憶する設定時間記憶手段、１０６は計時手段１０４の出力が設定時間記憶手段１０５に記憶された設定時間に達したことを判定する時間判定手段、１０７は時間判定手段１０６の出力により室内温度検出手段１０１が異常であるかを判定する異常判定手段である。
【００２７】
上記構成による動作を図６を用いて説明する。運転開始とともに、室内温度検出手段１０１により室内温度ｔが検出され（ステップ２０１）、設定温度記憶手段１０２にあらかじめ設定された設定温度ｔ１とを温度比較手段１０３で比較する（ステップ２０２）。そして、ｔ≧ｔ１であれば、ファン速度検出手段１０９により室内側ファン速度ｎが検出され（ステップ２０７）、設定ファン速度記憶手段１１０にあらかじめ記憶された設定ファン速度ｎ１とをファン速度比較手段１１１で比較する（ステップ２０８）。そして、ｎ≧ｎ１であれば、計時手段１０４のカウントが進む（ステップ２０３）。次に計時時間Ｔが設定時間記憶手段１０５に記憶された設定時間Ｔ１に達したかどうか、時間判定手段１０６で判定する（ステップ２０４）。そして、Ｔ≧Ｔ１になれば、異常判定手段１０７で室内温度検出手段１０１が異常であると判定する（ステップ２０５）。
【００２８】
したがって、室内温度検出手段１０１の出力及び室内側ファンの回転速度を検出し、室内温度検出手段１０１の出力が設定された設定温度ｔ１以上、かつ室内側ファンの回転速度が設定されたファン回転速度ｎ１以上の状態を、設定された設定時間Ｔ１の間、継続して運転した場合、室内温度検出手段１０１が異常であると判定することにより、暖房過負荷再立ち上げ時等においても、室内側熱交換器温度がＴ１の間に低下するため、輻射熱による室内温度検出手段１０１の異常判定の誤動作を防止することができる。しかも、室内側ファン回転速度がｎ１以上の時に動作するため、効率的かつ効果的であり、また室内側熱交換器からの輻射による影響が少なくなるため、より確実に制御を行うことができる。
【００２９】
図７は本発明の他の実施例における空気調和機の要部ブロック図であり、図８はその動作を説明するフローチャートである。図７において、１０１は室内温度を検出する室内温度検出手段、１１２は室内側熱交換器の配管温度を検出する配管温度検出手段、１０２は設定温度を記憶する設定温度記憶手段、１０３は室内温度検出手段１０１及び配管温度検出手段１１２により検出された室内温度が設定温度記憶手段１０２に記憶された設定温度以上または以下であることを検出し出力する温度比較手段、１０４は温度比較手段１０３から出力があるときにカウントする計時手段、１０５は設定時間を記憶する設定時間記憶手段、１０６は計時手段１０４の出力が設定時間記憶手段１０５に記憶された設定時間に達したことを判定する時間判定手段、１０７は時間判定手段１０６の出力により室内温度検出手段１０１が異常であるかを判定する異常判定手段である。
【００３０】
上記構成による動作を図８を用いて説明する。運転開始とともに、室内温度検出手段１０１により室内温度ｔが検出され（ステップ２０１）、設定温度記憶手段１０２にあらかじめ設定された設定温度ｔ１とを温度比較手段１０３で比較する（ステップ２０２）。そして、ｔ≧ｔ１であれば、配管温度検出手段１１２により室内側熱交換器の配管温度Ｈが検出され（ステップ２０９）、設定温度記憶手段１０２にあらかじめ設定された設定温度Ｈ１とを温度比較手段１０３で比較する（ステップ２１０）。そして、Ｈ≦Ｈ１であれば、計時手段１０４のカウントが進む（ステップ２０３）。次に計時時間Ｔが設定時間記憶手段１０５に記憶された設定時間Ｔ１に達したかどうか、時間判定手段１０６で判定する（ステップ２０４）。そして、Ｔ≧Ｔ１になれば、異常判定手段１０７で室内温度検出手段１０１が異常であると判定する（ステップ２０５）。
【００３１】
したがって、室内温度検出手段１０１の出力及び室内側熱交換器の配管温度を検出し、室内温度検出手段１０１の出力が設定された設定温度ｔ１以上、かつ配管温度が設定された設定温度Ｈ１以下の状態を、設定された設定時間Ｔ１の間、継続して運転した場合、室内温度検出手段１０１が異常であると判定することにより、暖房過負荷再立ち上げ時等においても、室内側熱交換器温度がＴ１の間に低下するため、輻射熱による室内温度検出手段１０１の異常判定の誤動作を防止することができる。しかも、室内側熱交換器の配管温度がＨ１以下の時に動作するため、より精度よく、また室内側熱交換器からの輻射による影響が少なくなるため、より確実に制御を行うことができる。
【００３２】
図９は本発明の一実施例における空気調和機の要部ブロック図であり、図１０はその動作を説明するフローチャートである。図９において、１０１は室内温度を検出する室内温度検出手段、１０２は設定温度を記憶する設定温度記憶手段、１０３は室内温度検出手段１０１により検出された室内温度が設定温度記憶手段１０２に記憶された設定温度以上であることを検出し出力する温度比較手段、１０４は温度比較手段１０３から出力があるときにカウントする計時手段、１０５は設定時間を記憶する設定時間記憶手段、１０６は計時手段１０４の出力が設定時間記憶手段１０５に記憶された設定時間に達したことを判定する時間判定手段、１０７は時間判定手段１０６の出力により室内温度検出手段１０１が異常であるかを判定する異常判定手段、１１３は異常判定手段１０７の出力により空気調和機の運転を停止する運転停止手段である。
【００３３】
上記構成による動作を図１０を用いて説明する。運転開始とともに、室内温度検出手段１０１により室内温度ｔが検出され（ステップ２０１）、設定温度記憶手段１０２にあらかじめ設定された設定温度ｔ１とを温度比較手段１０３で比較する（ステップ２０２）。そして、ｔ≧ｔ１であれば、計時手段１０４のカウントが進む（ステップ２０３）。次に計時時間Ｔが設定時間記憶手段１０５に記憶された設定時間Ｔ１に達したかどうか、時間判定手段１０６で判定する（ステップ２０４）。そして、Ｔ≧Ｔ１になれば、異常判定手段１０７で室内温度検出手段１０１が異常であると判定する（ステップ２０５）。そして、異常判定手段１０７で室内温度検出手段１０１が異常であると判定されると、運転停止手段１１３により空気調和機の運転を停止する（ステップ２１１）。
【００３４】
したがって、室内温度検出手段１０１の出力を検出し、室内温度検出手段１０１の出力が設定された設定温度ｔ１以上の状態を、設定された設定時間Ｔ１の間、継続して運転した場合、室内温度検出手段１０１が異常であると判定することにより、暖房過負荷再立ち上げ時等においても、室内側熱交換器温度がＴ１の間に低下するため、輻射熱による室内温度検出手段１０１の異常判定の誤動作を防止することができる。また、室内温度検出手段１０１が異常であると判定した場合、空気調和機の運転を停止するため、室内温度検出手段１０１の異常による空気調和機の異常運転を防止することができる。
【００３５】
図１１は本発明の一実施例における空気調和機の要部ブロック図であり、図１２はその動作を説明するフローチャートである。図１１において、１０１は室内温度を検出する室内温度検出手段、１０２は設定温度を記憶する設定温度記憶手段、１０３は室内温度検出手段１０１により検出された室内温度が設定温度記憶手段１０２に記憶された設定温度以上であることを検出し出力する温度比較手段、１０４は温度比較手段１０３から出力があるときにカウントする計時手段、１０５は設定時間を記憶する設定時間記憶手段、１０６は計時手段１０４の出力が設定時間記憶手段１０５に記憶された設定時間に達したことを判定する時間判定手段、１０７は時間判定手段１０６の出力により室内温度検出手段１０１が異常であるかを判定する異常判定手段、１１４は異常判定手段１０７の出力により空気調和機の運転モードを変更する運転モード変更手段である。
【００３６】
上記構成による動作を図１２を用いて説明する。運転開始とともに、室内温度検出手段１０１により室内温度ｔが検出され（ステップ２０１）、設定温度記憶手段１０２にあらかじめ設定された設定温度ｔ１とを温度比較手段１０３で比較する（ステップ２０２）。そして、ｔ≧ｔ１であれば、計時手段１０４のカウントが進む（ステップ２０３）。次に計時時間Ｔが設定時間記憶手段１０５に記憶された設定時間Ｔ１に達したかどうか、時間判定手段１０６で判定する（ステップ２０４）。そして、Ｔ≧Ｔ１になれば、異常判定手段１０７で室内温度検出手段１０１が異常であると判定する（ステップ２０５）。そして、異常判定手段１０７で室内温度検出手段１０１が異常であると判定されると、運転モード変更手段１１４により空気調和機の運転モードを変更する（ステップ２１２）。
【００３７】
したがって、室内温度検出手段１０１の出力を検出し、室内温度検出手段１０１の出力が設定された設定温度ｔ１以上の状態を、設定された設定時間Ｔ１の間、継続して運転した場合、室内温度検出手段１０１が異常であると判定することにより、暖房過負荷再立ち上げ時等においても、室内側熱交換器温度がＴ１の間に低下するため、輻射熱による室内温度検出手段１０１の異常判定の誤動作を防止することができる。また、室内温度検出手段１０１が異常であると判定した場合、空気調和機の運転モードを変更することにより（例えば、運転周波数を低周波数に固定する等）、応急的な運転が可能となる。
【００３８】
図１３は本発明の一実施例における空気調和機の要部ブロック図であり、図１４はその動作を説明するフローチャートである。図１３において、１０１は室内温度を検出する室内温度検出手段、１０２は設定温度を記憶する設定温度記憶手段、１０３は室内温度検出手段１０１により検出された室内温度が設定温度記憶手段１０２に記憶された設定温度以上であることを検出し出力する温度比較手段、１０４は温度比較手段１０３から出力があるときにカウントする計時手段、１０５は設定時間を記憶する設定時間記憶手段、１０６は計時手段１０４の出力が設定時間記憶手段１０５に記憶された設定時間に達したことを判定する時間判定手段、１０７は時間判定手段１０６の出力により室内温度検出手段１０１が異常であるかを判定する異常判定手段、１１５は異常判定手段１０７の出力により室内温度検出手段１０１の異常を外部に表示する異常表示手段である。
【００３９】
上記構成による動作を図１４を用いて説明する。運転開始とともに、室内温度検出手段１０１により室内温度ｔが検出され（ステップ２０１）、設定温度記憶手段１０２にあらかじめ設定された設定温度ｔ１とを温度比較手段１０３で比較する（ステップ２０２）。そして、ｔ≧ｔ１であれば、計時手段１０４のカウントが進む（ステップ２０３）。次に計時時間Ｔが設定時間記憶手段１０５に記憶された設定時間Ｔ１に達したかどうか、時間判定手段１０６で判定する（ステップ２０４）。そして、Ｔ≧Ｔ１になれば、異常判定手段１０７で室内温度検出手段１０１が異常であると判定する（ステップ２０５）。そして、異常判定手段１０７で室内温度検出手段１０１が異常であると判定されると、異常表示手段１１５により室内温度検出手段１０１の異常を外部に表示する（ステップ２１３）。
【００４０】
したがって、室内温度検出手段１０１の出力を検出し、室内温度検出手段１０１の出力が設定された設定温度ｔ１以上の状態を、設定された設定時間Ｔ１の間、継続して運転した場合、室内温度検出手段１０１が異常であると判定することにより、暖房過負荷再立ち上げ時等においても、室内側熱交換器温度がＴ１の間に低下するため、輻射熱による室内温度検出手段１０１の異常判定の誤動作を防止することができる。また、室内温度検出手段１０１が異常であると判定した場合、室内温度検出手段１０１の異常を外部に表示することにより、サービス性を大幅に向上できる。
【００４１】
【発明の効果】
本発明は上記説明から明らかなように、室内温度検出手段の出力を検出し、室内温度検出手段の出力が設定された設定温度ｔ１以上の状態を、設定された設定時間Ｔ１の間、継続して運転した場合、室内温度検出手段が異常であると判定することにより、暖房過負荷再立ち上げ時等においても、室内側熱交換器温度がＴ１の間に低下するため、輻射熱による室内温度検出手段異常判定の誤動作をコストの増大を招くことなく有効に、かつ安全に防止することができる。
【００４３】
また本発明は、室内温度検出手段の出力及び室内側ファンの回転速度を検出し、室内温度検出手段の出力が設定された設定温度ｔ１以上、かつ室内側ファンの回転速度が設定されたファン回転速度ｎ１以上の状態を、設定された設定時間Ｔ１の間、継続して運転した場合、室内温度検出手段が異常であると判定することにより、暖房過負荷再立ち上げ時等においても、室内側熱交換器温度がＴ１の間に低下するため、輻射熱による室内温度検出手段異常判定の誤動作をコストの増大を招くことなく有効に、かつ安全に防止することができる。しかも、室内側ファン回転速度がｎ１以上の時に動作するため、効率的かつ効果的であり、また室内側熱交換器からの輻射による影響が少なくなるため、より確実に制御を行うことができる。
【００４４】
また本発明は、室内温度検出手段の出力及び室内側熱交換器の配管温度を検出し、室内温度検出手段の出力が設定された設定温度ｔ１以上、かつ配管温度が設定された設定温度Ｈ１以下の状態を、設定された設定時間Ｔ１の間、継続して運転した場合、室内温度検出手段が異常であると判定することにより、暖房過負荷再立ち上げ時等においても、室内側熱交換器温度がＴ１の間に低下するため、輻射熱による室内温度検出手段異常判定の誤動作をコストの増大を招くことなく有効に、かつ安全に防止することができる。しかも、室内側熱交換器の配管温度がＨ１以下の時に動作するため、より精度よく、また室内側熱交換器からの輻射による影響が少なくなるため、より確実に制御を行うことができる。
【００４５】
また本発明は、室内温度検出手段の出力を検出し、室内温度検出手段の出力が設定された設定温度ｔ１以上の状態を、設定された設定時間Ｔ１の間、継続して運転した場合、室内温度検出手段が異常であると判定することにより、暖房過負荷再立ち上げ時等においても、室内側熱交換器温度がＴ１の間に低下するため、輻射熱による室内温度検出手段異常判定の誤動作をコストの増大を招くことなく有効に、かつ安全に防止することができる。また、室内温度検出手段が異常であると判定した場合、空気調和機の運転を停止するため、室内温度検出手段異常による空気調和機の異常運転を防止することができる。
【００４６】
また本発明は、室内温度検出手段の出力を検出し、室内温度検出手段の出力が設定された設定温度ｔ１以上の状態を、設定された設定時間Ｔ１の間、継続して運転した場合、室内温度検出手段が異常であると判定することにより、暖房過負荷再立ち上げ時等においても、室内側熱交換器温度がＴ１の間に低下するため、輻射熱による室内温度検出手段異常判定の誤動作をコストの増大を招くことなく有効に、かつ安全に防止することができる。また、室内温度検出手段が異常であると判定した場合、空気調和機の運転モードを変更することにより（例えば、運転周波数を低周波数に固定する等）、応急的な運転が可能となる。
【００４７】
また本発明は、室内温度検出手段の出力を検出し、室内温度検出手段の出力が設定された設定温度ｔ１以上の状態を、設定された設定時間Ｔ１の間、継続して運転した場合、室内温度検出手段が異常であると判定することにより、暖房過負荷再立ち上げ時等においても、室内側熱交換器温度がＴ１の間に低下するため、輻射熱による室内温度検出手段異常判定の誤動作をコストの増大を招くことなく有効に、かつ安全に防止することができる。また、室内温度検出手段が異常であると判定した場合、室内温度検出手段の異常を外部に表示することにより、サービス性を大幅に向上でき、商品価値を向上できる。
【図面の簡単な説明】
【図１】本発明の一実施例の空気調和機の要部ブロック図
【図２】本発明の一実施例の空気調和機の動作を説明するフローチャート
【図３】本発明の他の実施例の空気調和機の要部ブロック図
【図４】本発明の他の実施例の空気調和機の動作を説明するフローチャート
【図５】本発明の他の実施例の空気調和機の要部ブロック図
【図６】本発明の他の実施例の空気調和機の動作を説明するフローチャート
【図７】本発明の他の実施例の空気調和機の要部ブロック図
【図８】本発明の他の実施例の空気調和機の動作を説明するフローチャート
【図９】本発明の他の実施例の空気調和機の要部ブロック図
【図１０】本発明の他の実施例の空気調和機の動作を説明するフローチャート
【図１１】本発明の他の実施例の空気調和機の要部ブロック図
【図１２】本発明の他の実施例の空気調和機の動作を説明するフローチャート
【図１３】本発明の他の実施例の空気調和機の要部ブロック図
【図１４】本発明の他の実施例の空気調和機の動作を説明するフローチャート
【符号の説明】
１０１  室内温度検出手段
１０２  設定温度記憶手段
１０３  温度比較手段
１０４  計時手段
１０５  設定時間記憶手段
１０６  時間判定手段
１０７  異常判定手段
【図１】
0003586945.tif 000002
【図２】
0003586945.tif 000003
【図３】
0003586945.tif 000004
【図４】
0003586945.tif 000005
【図５】
0003586945.tif 000006
【図６】
0003586945.tif 000007
【図７】
0003586945.tif 000008
【図８】
0003586945.tif 000009
【図９】
0003586945.tif 000010
【図１０】
0003586945.tif 000011
【図１１】
0003586945.tif 000012
【図１２】
0003586945.tif 000013
【図１３】
0003586945.tif 000014
【図１４】
0003586945.tif 000015